(57)【要約】  記録媒体を広告媒体および広告収入源として効果的に利用することを課題とする。本発明のコンテンツ処理装置を適用したディスクプレーヤー１１は、本編コンテンツと、当該本編コンテンツへのＣＭコンテンツの挿入に関する情報であるＣＭ挿入情報と、が記録された光ディスクＤを読み取る読み取り部５１と、ＣＭ挿入情報に基づいて、外部装置からＣＭコンテンツを取得するためのネットワーク接続部５３と、取得したＣＭコンテンツを本編コンテンツに挿入する制御部５５と、を備えたものである。
2008056407.tif 000002
【特許請求の範囲】
【請求項１】
本編コンテンツと、当該本編コンテンツへのＣＭコンテンツの挿入に関する情報であるＣＭ挿入情報と、が記録された記録媒体を読み取る読み取り手段と、
前記ＣＭ挿入情報に基づいて、外部装置から前記ＣＭコンテンツを取得するＣＭコンテンツ取得手段と、
取得した前記ＣＭコンテンツを前記本編コンテンツに挿入するＣＭコンテンツ挿入手段と、
を備えていることを特徴とするコンテンツ処理装置。
【請求項２】
請求項１に記載のコンテンツ処理装置における各手段と、
前記ＣＭコンテンツが挿入された前記本編コンテンツを再生する再生手段と、を備え、
前記ＣＭコンテンツ取得手段は、前記再生手段による前記本編コンテンツの再生時に、前記ＣＭコンテンツを取得することを特徴とする再生装置。
【請求項３】
前記ＣＭ挿入情報は、前記ＣＭコンテンツの挿入位置をフラグで示したものであり、
前記ＣＭコンテンツ取得手段は、前記本編コンテンツの再生時における前記フラグの検出に伴って、前記ＣＭコンテンツを取得することを特徴とする請求項２に記載の再生装置。
【請求項４】
前記ＣＭ挿入情報は、前記ＣＭコンテンツの挿入位置をテーブル形式で示したものであり、
前記ＣＭコンテンツ取得手段は、前記本編コンテンツの再生時において、前記ＣＭ挿入情報を参照して前記ＣＭコンテンツを取得し、
前記再生手段は、前記ＣＭコンテンツの挿入位置に基づくタイミングで前記ＣＭコンテンツを再生することを特徴とする請求項２に記載の再生装置。
【請求項５】
前記ＣＭ挿入情報は、前記ＣＭコンテンツを特定するためのＩＤを含み、
前記ＣＭコンテンツ取得手段は、前記ＩＤを前記外部装置に送信することにより、当該外部装置が特定した前記ＣＭコンテンツを取得することを特徴とする請求項２に記載の再生装置。
【請求項６】
前記再生手段は、前記ＣＭコンテンツの挿入位置の前後で、前記本編コンテンツのフェードイン・フェードアウト処理を行うことを特徴とする請求項２に記載の再生装置。
【請求項７】
前記記録媒体には、１以上の前記本編コンテンツが記録されていると共に、当該各本編コンテンツには、前記ＣＭコンテンツを挿入するか否かに関する挿入可否情報が関連付けられており、
前記ＣＭコンテンツ取得手段は、前記挿入可否情報「可」が関連付けられた前記本編コンテンツの再生時に、前記ＣＭコンテンツを取得することを特徴とする請求項２に記載の再生装置。
【請求項８】
前記本編コンテンツへの前記ＣＭコンテンツの挿入を禁止するためのコンテンツキーを取得するコンテンツキー取得手段と、
前記コンテンツキーの取得に伴って、該当する前記本編コンテンツの挿入可否情報を「可」から「否」に書き換える挿入可否情報書き換え手段と、をさらに備えていることを特徴とする請求項７に記載の再生装置。
【請求項９】
前記各本編コンテンツには、前記ＣＭコンテンツの取得先を示すアドレス情報が関連付けられており、
前記ＣＭコンテンツ取得手段は、前記各本編コンテンツに関連付けられている前記アドレス情報に基づいてアクセスすることにより、前記ＣＭコンテンツを取得することを特徴とする請求項７に記載の再生装置。
【請求項１０】
請求項１に記載のコンテンツ処理装置と、
前記記録媒体と、
前記外部装置と、から成ることを特徴とするコンテンツ処理システム。
【請求項１１】
前記ＣＭ挿入情報は、前記本編コンテンツを特定するための情報と、前記ＣＭコンテンツの挿入位置を示す情報と、を含み、
前記ＣＭコンテンツ取得手段は、前記本編コンテンツを特定するための情報および前記ＣＭコンテンツの挿入位置を示す情報の少なくとも一方を前記外部装置に送信することにより、当該外部装置が特定した前記ＣＭコンテンツを取得し、
前記外部装置は、
前記ＣＭコンテンツを複数記憶するＣＭコンテンツ記憶手段と、
前記コンテンツ処理装置から前記本編コンテンツを特定するための情報および前記ＣＭコンテンツの挿入位置を示す情報の少なくとも一方を取得する情報取得手段と、
前記情報取得手段により取得した情報に基づいて、前記ＣＭコンテンツ記憶手段から、挿入対象となる前記ＣＭコンテンツを特定するＣＭコンテンツ特定手段と、
特定した前記ＣＭコンテンツを、前記コンテンツ処理装置に送信するＣＭコンテンツ送信手段と、を備えていることを特徴とする請求項１０に記載のコンテンツ処理システム。
【請求項１２】
コンテンツを記録するための記録媒体であって、
予め前記記録媒体に記録されている前記コンテンツである本編コンテンツと、
前記本編コンテンツに、前記記録媒体の再生装置以外の外部装置から取得したＣＭコンテンツを挿入するための情報であるＣＭ挿入情報と、が記録されていることを特徴とする記録媒体。
【請求項１３】
独立して視聴可能な複数の前記本編コンテンツが記録されていることを特徴とする請求項１２に記載の記録媒体。
【発明の詳細な説明】
【技術分野】
【０００１】
本発明は、映像および音声の少なくとも一方を含むコンテンツの編集等を行うコンテンツ処理装置、再生装置、コンテンツ処理システムおよび記録媒体に関するものである。
【背景技術】
【０００２】
従来、記録媒体に記録されたコンテンツの一部に有効期限を設定しておき、その有効期限を過ぎるとその一部の情報を再生不能とする方法が知られている（例えば、特許文献１）。この方法によれば、記録媒体にＣＭ（コマーシャル）コンテンツが含まれている場合でも、ＣＭコンテンツに有効期限を設定することで、ＣＭ内容の陳腐化を防止することができる。
【特許文献１】特開平１０−３０７７４１号公報
【発明の開示】
【発明が解決しようとする課題】
【０００３】
ところが、上記の方法は、有効期限を過ぎると、有効期限が設定されたＣＭコンテンツが再生不能となってしまう。そもそも、記録媒体にＣＭコンテンツを記録するのは、その広告料を記録媒体（コンテンツ）の制作費に充当することで、記録媒体の販売価格を抑えるためであるが、上記の方法のように有効期限が設定されてしまうと、その効果が薄れてしまう。つまり、広告媒体としての価値を低下させないため（ＣＭ内容の陳腐化を抑止するため）に有効期限が設定されているにもかかわらず、必然的に広告期間が短くなるため、効率的な広告収入に結びつかず、ひいては記録媒体の価格抑制効果が薄れてしまうといった問題があった。【０００４】
さらに今後、光ディスク媒体の大容量化に伴い、複数、たとえば数１００個以上というそれぞれを独立して視聴が可能なコンテンツを一枚の光ディスクに格納するようになると、記録媒体の販売価格抑制のための広告収入の必要性が増してくると考えられる。このような大容量の光ディスク媒体においては、ユーザーが数１００のタイトルの中から、任意に視聴したいコンテンツだけを視聴したい時に選択する視聴スタイルが考えられる。このような場合において、ユーザーの選択したコンテンツや時期に応じて効果的なＣＭコンテンツを再生可能なシステムが望まれる。【０００５】
本発明は、記録媒体を広告媒体および広告収入源として効果的に利用するためのコンテンツ処理装置、再生装置、コンテンツ処理システムおよび記録媒体を提供することを課題としている。
【課題を解決するための手段】
【０００６】
本発明のコンテンツ処理装置は、本編コンテンツと、当該本編コンテンツへのＣＭコンテンツの挿入に関する情報であるＣＭ挿入情報と、が記録された記録媒体を読み取る読み取り手段と、ＣＭ挿入情報に基づいて、外部装置からＣＭコンテンツを取得するＣＭコンテンツ取得手段と、取得したＣＭコンテンツを本編コンテンツに挿入するＣＭコンテンツ挿入手段と、を備えていることを特徴とする。【０００７】
この構成によれば、外部装置からＣＭコンテンツを取得し、当該ＣＭコンテンツを本編コンテンツに挿入するため、ＣＭ内容が陳腐化することがない。すなわち、外部装置から常に新鮮な広告情報を視聴者（ユーザー）に提供することができ、広告媒体としての価値を維持することができる。また、その価値は恒久的であるため、効果的な広告収入源として記録媒体を利用することができる。
なお、ＣＭコンテンツを取得するタイミングは、記録媒体の読み取り時、ユーザーによるＣＭコンテンツの取得指示時など、任意のタイミングで良い。【０００８】
本発明の再生装置は、上記に記載のコンテンツ処理装置における各手段と、ＣＭコンテンツが挿入された本編コンテンツを再生する再生手段と、を備え、ＣＭコンテンツ取得手段は、再生手段による本編コンテンツの再生時に、ＣＭコンテンツを取得することを特徴とする。【０００９】
この構成によれば、本編コンテンツの再生時にＣＭコンテンツを取得するため、予めＣＭコンテンツを取得して本編コンテンツに挿入しておく必要がない。すなわち、ユーザーが実際に視聴する際にＣＭコンテンツを取得するため、その日時や情勢に合ったＣＭコンテンツを取得することができる。また、広告提供者（ＣＭスポンサー）側としても外部装置を介してタイムリーなＣＭを提供することができるため、記録媒体の広告媒体としての価値をより高めることができる。【００１０】
上記に記載の再生装置において、ＣＭ挿入情報は、ＣＭコンテンツの挿入位置をフラグで示したものであり、ＣＭコンテンツ取得手段は、本編コンテンツの再生時におけるフラグの検出に伴って、ＣＭコンテンツを取得することが好ましい。【００１１】
この構成によれば、フラグの検出に伴ってＣＭコンテンツを取得するため、ＣＭコンテンツの挿入位置を予め規定しておくことができる。つまり、フラグの設定位置により、本編コンテンツの前など、広告提供者の所望する再生位置にＣＭコンテンツを挿入することができる。【００１２】
上記に記載の再生装置において、ＣＭ挿入情報は、ＣＭコンテンツの挿入位置をテーブル形式で示したものであり、ＣＭコンテンツ取得手段は、本編コンテンツの再生時において、ＣＭ挿入情報を参照してＣＭコンテンツを取得し、再生手段は、ＣＭコンテンツの挿入位置に基づくタイミングでＣＭコンテンツを再生することが好ましい。【００１３】
この構成によれば、テーブル（ＣＭ挿入情報）の参照結果に基づくタイミングでＣＭコンテンツを再生するため、ＣＭコンテンツの挿入位置を予め規定しておくことができる。つまり、テーブルの設定により、本編コンテンツの前など、広告提供者の所望する再生位置にＣＭコンテンツを挿入することができる。
なお、ＣＭコンテンツを取得するタイミングは、挿入位置に基づくタイミング（挿入位置に基づく再生時間）でも、テーブル参照後でかつ任意の挿入タイミングより早い時刻でも良い。【００１４】
上記に記載の再生装置において、ＣＭ挿入情報は、ＣＭコンテンツを特定するためのＩＤを含み、ＣＭコンテンツ取得手段は、ＩＤを外部装置に送信することにより、当該外部装置が特定したＣＭコンテンツを取得することが好ましい。【００１５】
この構成によれば、例えば挿入位置毎に異なるＩＤを関連付けておくことで、多様なＣＭコンテンツを再生することができる。これにより、複数の広告提供者から広告収入が得られると共に、同じＣＭの繰り返しで視聴者を飽きさせることがない。また、記録媒体毎に異なるＩＤを関連付けるようにすれば、その記録媒体を入手しない限り特定のＣＭコンテンツを視聴することができないため、ＣＭコンテンツの価値を高めることができる。【００１６】
上記に記載の再生装置において、再生手段は、ＣＭコンテンツの挿入位置の前後で、本編コンテンツのフェードイン・フェードアウト処理を行うことが好ましい。【００１７】
この構成によれば、本編コンテンツとＣＭコンテンツの切り替えをスムーズに行うことができるため、視聴者に対し、より自然にＣＭを提供することができる。なお、「フェードイン・フェードアウト処理」とは、音声の場合、ボリュームの大／小変化を指し、映像の場合、ブラックアウト／ホワイトアウト等の映像効果を指す。【００１８】
上記に記載の再生装置において、記録媒体には、１以上の本編コンテンツが記録されていると共に、当該各本編コンテンツには、ＣＭコンテンツを挿入するか否かに関する挿入可否情報が関連付けられており、ＣＭコンテンツ取得手段は、挿入可否情報「可」が関連付けられた本編コンテンツの再生時に、ＣＭコンテンツを取得することが好ましい。【００１９】
この構成によれば、挿入可否情報によって、本編コンテンツ毎にＣＭコンテンツを再生させるか否かを決定することができる。これにより、例えばボーナスコンテンツなど付属的なコンテンツはＣＭコンテンツを挿入させないようにすることができ、ユーザーメリットとなる。【００２０】
上記に記載の再生装置において、本編コンテンツへのＣＭコンテンツの挿入を禁止するためのコンテンツキーを取得するコンテンツキー取得手段と、コンテンツキーの取得に伴って、該当する本編コンテンツの挿入可否情報を「可」から「否」に書き換える挿入可否情報書き換え手段と、をさらに備えていることが好ましい。【００２１】
この構成によれば、コンテンツキーの取得に伴って、ＣＭコンテンツの挿入を禁止することができるため、ＣＭを視聴したくない視聴者に対してのユーザーメリットとなると共に、有料でコンテンツキーを提供することで、記録媒体（コンテンツ）提供者の利益となる。【００２２】
上記に記載の再生装置において、各本編コンテンツには、ＣＭコンテンツの取得先を示すアドレス情報が関連付けられており、ＣＭコンテンツ取得手段は、各本編コンテンツに関連付けられているアドレス情報に基づいてアクセスすることにより、ＣＭコンテンツを取得することが好ましい。【００２３】
この構成によれば、各本編コンテンツに異なるアドレス情報を関連付けておくことで、本編コンテンツ毎に異なるＣＭコンテンツを再生することができる。これにより、本編コンテンツ毎のスポンサー契約が可能となる。【００２４】
本発明のコンテンツ処理システムは、上記に記載のコンテンツ処理装置と、記録媒体と、外部装置と、から成ることを特徴とする。【００２５】
この構成によれば、記録媒体を広告媒体および広告収入源として効果的に利用するためのコンテンツ処理システムを提供することができる。【００２６】
上記に記載のコンテンツ処理システムにおいて、ＣＭ挿入情報は、本編コンテンツを特定するための情報と、ＣＭコンテンツの挿入位置を示す情報と、を含み、ＣＭコンテンツ取得手段は、本編コンテンツを特定するための情報およびＣＭコンテンツの挿入位置を示す情報の少なくとも一方を外部装置に送信することにより、当該外部装置が特定したＣＭコンテンツを取得し、外部装置は、ＣＭコンテンツを複数記憶するＣＭコンテンツ記憶手段と、コンテンツ処理装置から本編コンテンツを特定するための情報およびＣＭコンテンツの挿入位置を示す情報の少なくとも一方を取得する情報取得手段と、情報取得手段により取得した情報に基づいて、ＣＭコンテンツ記憶手段から、挿入対象となるＣＭコンテンツを特定するＣＭコンテンツ特定手段と、特定したＣＭコンテンツを、コンテンツ処理装置に送信するＣＭコンテンツ送信手段と、を備えていることが好ましい。【００２７】
この構成によれば、本編コンテンツを特定するための情報やＣＭコンテンツの挿入位置を示す情報を外部装置に送信し、これらの情報に基づいて特定されたＣＭコンテンツをコンテンツ処理装置が取得することにより、より広告効果の高いＣＭを提供することができる。例えば、本編コンテンツを特定するための情報を外部装置に送信した場合、外部装置は本編コンテンツの内容に基づいて、送信するＣＭコンテンツを特定することができる。これにより、例えば本編コンテンツが男性向けのコンテンツである場合、男性を広告対象にしたＣＭを提供することができる。また、本編コンテンツを特定するための情報と共にＣＭコンテンツの挿入位置を示す情報を外部装置に送信するようにすれば、その本編コンテンツの内容とリンクしたＣＭを提供することができる。【００２８】
本発明の記録媒体は、コンテンツを記録するための記録媒体であって、予め記録媒体に記録されているコンテンツである本編コンテンツと、本編コンテンツに、記録媒体の再生装置以外の外部装置から取得したＣＭコンテンツを挿入するための情報であるＣＭ挿入情報と、が記録されていることを特徴とする。【００２９】
この構成によれば、広告媒体および広告収入源として効果的に利用可能な記録媒体を提供することができる。【００３０】
上記に記載の記録媒体において、独立して視聴可能な複数の本編コンテンツが記録されていることが好ましい。【００３１】
今後、多数の本編コンテンツを格納した記録媒体が台頭し、記録媒体の販売価格抑制のための広告収入の必要性が増してくると考えられるが、この構成によれば、そのような状況において特に有効である。
【図面の簡単な説明】
【００３２】
【図１】本発明の第１実施形態に係るコンテンツ処理システムのシステム構成図である。
【図２】ディスクプレーヤーの制御ブロック図である。
【図３】ＣＭ挿入情報を説明するための図である。
【図４】ダウンロード情報を説明するための図である。
【図５】ディスクプレーヤーのＣＭ挿入・再生処理を示すフローチャートである。
【図６】ＣＭ挿入情報の他の一例を説明するための図である。
【図７】ＣＭ挿入情報の他の一例を説明するための図である。
【図８】第２実施形態に係るＣＭ挿入情報を説明するための図である。
【図９】第２実施形態に係るディスクプレーヤーのＣＭ挿入・再生処理を示すフローチャートである。
【符号の説明】
【００３３】
１１…ディスクプレーヤー  ２１…コンテンツプロバイダー  ３１…ネットワーク  ５１…読み取り部  ５２…書き込み部  ５３…ネットワーク接続部  ５４…操作部  ５５…制御部  ５６…再生処理部  ５７…音声出力部  ５８…映像出力部  Ｄ…光ディスク  ＳＹ…コンテンツ処理システム
【発明を実施するための最良の形態】
【００３４】
以下、本発明の一実施形態に係るコンテンツ処理装置、再生装置、コンテンツ処理システムおよび記録媒体について、添付図面を参照しながら詳細に説明する。本発明は、記録媒体から読み出した本編コンテンツに、外部装置から取得したＣＭコンテンツを挿入することを特徴とするものである。そこで、本発明の記録媒体を光ディスクに、本発明のコンテンツ処理装置および再生装置を、ディスクプレーヤーに、また本発明の外部装置をコンテンツプロバイダーに適用した場合を例に挙げて説明する。【００３５】
図１は、本発明の第１実施形態に係るコンテンツ処理システムＳＹのシステム構成図である。同図に示すように、コンテンツ処理システムＳＹは、複数のディスクプレーヤー１１と（２台のみ図示）、各ディスクプレーヤー１１で読み取り可能な光ディスクＤと、複数のディスクプレーヤー１１に対しインターネット等のネットワーク３１を介してＣＭコンテンツを提供するコンテンツプロバイダー２１と、によって構成されている。【００３６】
各光ディスクＤには、映画、ドラマ、ビデオクリップなどの映像／音声データである本編コンテンツと、ＣＭコンテンツの挿入位置等に関する情報であるＣＭ挿入情報と、本編コンテンツ毎に定められたＣＭコンテンツの挿入可否等に関する情報であるダウンロード情報と、が予め記録されている。すなわち、光ディスクＤは、これら全ての情報が記録された状態で販売される。【００３７】
本編コンテンツは、１枚の光ディスクＤに１以上記録されている（タイトル１〜タイトルｎ，図３参照）。また、ＣＭ挿入情報は、ＣＭコンテンツの挿入位置と、ＣＭコンテンツを特定するためのＩＤと、に関する情報を含む。本実施形態の光ディスクＤは、ＣＭコンテンツの挿入位置を本編コンテンツ上に記録されたフラグによって示している（図３参照）。そこで、ＣＭコンテンツを特定するためのＩＤを、以下フラグＩＤと称する。ディスクプレーヤー１１は、当該フラグＩＤをコンテンツプロバイダー２１に送信し、コンテンツプロバイダー２１が当該フラグＩＤに基づいて特定したＣＭコンテンツを取得する。【００３８】
ダウンロード情報は、ＣＭコンテンツを挿入するか否かに関する挿入可否情報と、ＣＭコンテンツの取得先を示すアドレス情報と、に関する情報を含む（図４参照）。つまり、挿入可否情報が「可」の本編コンテンツ上に記録されているフラグ位置には、ＣＭコンテンツを挿入するが、挿入可否情報が「否」の本編コンテンツ上に記録されているフラグ位置には、ＣＭコンテンツを挿入しない（ＣＭコンテンツを取得するための処理を実行しない）ようになっている。一方、アドレス情報は、本編コンテンツ（タイトル）毎に関連付けられているため、１の本編コンテンツ再生中は、同一アドレスにアクセスしてＣＭコンテンツを取得するようになっている。【００３９】
ところで、挿入可否情報は、コンテンツキーの取得によって、挿入可否情報「可」から挿入可否情報「否」に書き換え可能となっている。例えば、「タイトル１」の挿入可否情報が「可」と記録されている場合に、ユーザー１５ａがコンテンツプロバイダー２１から「タイトル１」のコンテンツキーを取得したとすると、「タイトル１」の挿入可否情報を「否」に書き換えることができる。このように、挿入可否情報を「否」に書き換えることで、本編コンテンツのみを再生できるといったユーザーメリットがあるが、その対価としてユーザー１５ａは、コンテンツプロバイダー２１に対しコンテンツキー料金を支払わなければならない。つまり、コンテンツキーの提供を有料とすることで、光ディスクＤ（コンテンツ）提供者にも利益が発生する。なお、コンテンツキー料金を支払わないユーザー１５ｂに対しては、予め光ディスクＤに記録された挿入可否情報にしたがってＣＭコンテンツが提供される。また、コンテンツキー料金の支払いは、ネットワーク３１を介さない方法であっても良い。【００４０】
上記のとおり、コンテンツ処理システムＳＹは、各ユーザー１５が、上記のＣＭ挿入情報等が記録された光ディスクＤを入手（購入）することによって利用できる。このように、光ディスクＤ内にＣＭ挿入情報を記録して提供することにより、その広告料を光ディスクＤ（コンテンツ）の制作費に充当することができるため、光ディスクＤの販売価格を抑えることができ、ユーザーメリットとなる。【００４１】
なお、ユーザー１５に対して確実にＣＭを提供できるように、コンテンツプロバイダー２１から何らかの原因でＣＭコンテンツを取得できなかった場合は、本編コンテンツの視聴が禁止されるように構成することが好ましい。例えば、書き換え可能な光ディスクＤを用いる場合、ＣＭ挿入位置を示すフラグ検出に伴って光ディスクＤの所定領域に記録されたＣＭ取得確認フラグを「ＯＮ」にし、コンテンツプロバイダー２１からのＣＭ取得に伴ってＣＭ取得確認フラグを「ＯＦＦ」に切り換えるように構成しても良い。この場合、ＣＭ取得確認フラグが「ＯＮ」の場合は、本編コンテンツの再生ができないようにすることで、本編コンテンツの視聴を禁止することができる。また、書き換え不能な光ディスクＤを用いる場合は、ディスクプレーヤー１１内のＲＡＭ（図示省略）等にＣＭ取得確認フラグを記録するようにすれば良い。【００４２】
次に、図２のブロック図を参照し、ディスクプレーヤー１１の制御構成について説明する。ディスクプレーヤー１１は、その制御構成として、読み取り部５１、書き込み部５２、ネットワーク接続部５３、操作部５４、制御部５５、再生処理部５６、音声出力部５７および映像出力部５８を備えている。【００４３】
読み取り部５１および書き込み部５２は、光ディスクＤの読み取りおよび書き込みを行うものであり、光ピックアップ、スピンドルモーターおよびトラッキングモーターの他、これらを駆動するためのドライバ（駆動制御系）等により構成される。読み取り部５１は、光ディスクＤから本編コンテンツ、ＣＭ挿入情報およびダウンロード情報を読み取り、その読み取り信号を制御部５５に出力する（読み取り手段）。書き込み部５２は、書き換え可能な光ディスクＤを用いる場合、制御部５４からの命令に基づいて挿入可否情報の書き換えを行う（挿入可否情報書き換え手段）。なお、書き換え不能な光ディスクＤを用いる場合は、読み出した挿入可否情報を、ディスクプレーヤー１１内のＲＡＭ（図示省略）等に格納しておき、制御部５４が書き換えを行う。【００４４】
ネットワーク接続部５３は、コンテンツプロバイダー２１と通信を行うためのインターフェースであり、コンテンツプロバイダー２１に対してフラグＩＤを送信すると共に、コンテンツプロバイダー２１からＣＭコンテンツやコンテンツキーを取得する（ＣＭコンテンツ取得手段，コンテンツキー取得手段）。【００４５】
操作部５４は、ユーザーが各種操作を行うためのものであり、リモコンや操作ボタンにより構成される。本実施形態では、再生する本編コンテンツの選択、再生指示、および挿入可否情報を書き換えるためのコンテンツキーの取得指示を行うために用いられる。【００４６】
制御部５５は、ディスクプレーヤー１１全体を制御するものであり、シーク制御や出力パワー制御など読み取り部５１および書き込み部５２に対する読み書き制御を行う。また、光ディスクＤから読み出したＣＭ挿入情報およびダウンロード情報に基づいて、フラグＩＤをネットワーク接続部５３に出力し、ネットワーク接続部５３からＣＭコンテンツを取得した際は、当該ＣＭコンテンツを本編コンテンツに挿入するといったＣＭコンテンツ挿入制御を行う（ＣＭコンテンツ挿入手段）。ＣＭコンテンツ挿入後の映像・音声データは、不図示の出力バッファに格納した後、再生処理部５６に出力する。さらに、操作部５４の操作により、コンテンツキーの取得が指示された場合は、該当するタイトルの挿入可否情報を書き換える。【００４７】
再生処理部５６は、制御部５５の命令に基づいて、入力された映像・音声信号のエンコード・デコード処理やデジタル信号処理を含む再生処理を行うものであり（再生手段）、オーディオ／ビデオコンバータ、エンコーダおよびデコーダ等により構成される。なお、再生処理部５６は、再生処理を行う場合、ＣＭコンテンツの挿入位置の前後で、本編コンテンツのフェードイン・フェードアウト処理を行う。具体的には、本編コンテンツの映像を、ＣＭコンテンツの挿入位置の前に徐々に暗くし、ＣＭコンテンツの挿入位置の後に徐々に明るくしていく（通常の明度に戻していく）。これにより、本編コンテンツとＣＭコンテンツの切り替えをスムーズに行うことができるため、ユーザー１５に対し、より自然にＣＭを提供することができる。なお、「フェードイン・フェードアウト処理」としては、上記のブラックアウト以外に、ホワイトアウトなどの映像効果を用いても良いし、音声（ボリューム）を大／小変化させても良い。【００４８】
音声出力部５７は、オーディオ信号をスピーカー（図示省略）に出力するものであり、オーディオ出力端子により構成される。また、映像出力部５８は、ビデオ信号をモニター（図示省略）に出力するものであり、ビデオ出力端子により構成される。【００４９】
次に、図３を参照し、ＣＭ挿入情報について説明する。ＣＭ挿入情報は、上記のとおり、予め光ディスクＤに記録されているものであり、ＣＭコンテンツの挿入位置を示すフラグと、当該フラグ毎に関連付けられているフラグＩＤと、から成る情報である。フラグは、本編コンテンツ上に記録されており、本編コンテンツの再生に伴って検出される。同図の例は、「タイトル１」の再生中にフラグＩＤ「＃１」のフラグが検出され、「タイトル２」の再生中にフラグＩＤ「＃２」とフラグＩＤ「＃３」のフラグが検出され、これらフラグの検出に基づいて、コンテンツ挿入・再生処理が行われることを示している。このように、フラグ毎に異なるＩＤを関連付けておくことで、挿入位置毎に異なるＣＭコンテンツを再生することができる。また、複数の広告提供者から広告収入が得られると共に、同じＣＭの繰り返しでユーザー（視聴者）１５を飽きさせることがない。【００５０】
次に、図４を参照し、ダウンロード情報について説明する。ダウンロード情報は、本編コンテンツ（タイトル）毎にテーブル形式で記録されており、ＣＭコンテンツを挿入するか否かに関する挿入可否情報と、ＣＭコンテンツの取得先を示すアドレス情報と、から成る。また、上記のＣＭ挿入情報と同様に、予め光ディスクＤに記録されている。なお、ダウンロード情報は、図示の例のようにテーブル形式で、複数タイトル分をまとめて光ディスクＤの所定領域（リードインエリア等）に記録しても良いし、本編コンテンツ毎のコンテンツ情報として記録するようにしても良い。このように、本編コンテンツ毎に挿入可否情報を関連付けておくことで、例えばボーナスコンテンツなど付属的なコンテンツはＣＭコンテンツを挿入させないようにすることができ、ユーザーメリットとなる。また、本編コンテンツ毎に異なるアドレス情報を関連付けておくことで、本編コンテンツ毎に異なるＣＭコンテンツを再生することができため、本編コンテンツ毎のスポンサー契約が可能となる。【００５１】
ここで、図３および図４に示したように、ＣＭ挿入情報およびダウンロード情報が記録されている場合のディスクプレーヤー１１の動作について簡単に説明する。両図に示すように、「タイトル１」の挿入可否情報は「可」であるため、「タイトル１」の再生時は、フラグ検出を行い、アドレス「http://www.1111〜」にアクセスして、フラグＩＤ「＃１」をコンテンツプロバイダー２１に送出する。コンテンツプロバイダー２１は、アドレス「http://www.1111〜」と、フラグＩＤ「＃１」に基づいて、提供するＣＭコンテンツを特定し、特定したＣＭコンテンツをディスクプレーヤー１１に送信する。ディスクプレーヤー１１は、ＣＭコンテンツを取得すると、フラグＩＤ「＃１」のフラグ位置に、ＣＭコンテンツを挿入する。一方、「タイトル２」および「タイトル３」の再生時は、これらの挿入可否情報がいずれも「否」であるため、フラグ検出を行わない。したがって、「タイトル２」および「タイトル３」にはＣＭコンテンツが挿入されない。【００５２】
次に、図５のフローチャートを参照し、ディスクプレーヤー１１（主に制御部５５，図２参照）によるＣＭコンテンツの挿入・再生処理について説明する。ここでは、再生対象となるタイトル（タイトルＸ）の挿入可否情報は「可」であるものとして説明する。【００５３】
ディスクプレーヤー１１に、光ディスクＤが挿入（セット）され（Ｓ０１）、操作部５４によりタイトルＸの再生が指示されると（Ｓ０２）、当該指示に基づいて、再生処理部５６はタイトルＸを再生する（Ｓ０３）。タイトルＸの再生中にフラグを検出すると（Ｓ０４：Ｙｅｓ）、制御部５５は、そのフラグに関連付けられているフラグＩＤをコンテンツプロバイダー２１に送信する（Ｓ０５）。その後、コンテンツプロバイダー２１から、ＣＭコンテンツを取得すると、制御部５５は、タイトルＸのフラグ位置に当該ＣＭコンテンツを挿入し、再生処理部５６に再生を指示する（Ｓ０６）。このとき、再生処理部５６は、ＣＭコンテンツの挿入位置の前後で、本編コンテンツのフェードイン・フェードアウト処理を行う。なお、同図のフローチャートには特に図示していないが、タイトルＸの再生終了に伴い、本フローチャートのリターンを終了する。【００５４】
このように、本発明の第１実施形態によれば、光ディスクＤ内にＣＭコンテンツを格納しておくのではなく、ディスクプレーヤー１１がコンテンツプロバイダー２１からＣＭコンテンツを取得し、当該ＣＭコンテンツを本編コンテンツに挿入するため、ＣＭ内容が陳腐化することがない。また、ディスクプレーヤー１１は、本編コンテンツの再生時にＣＭコンテンツを取得する構成であるため、その再生日時や情勢に合ったタイムリーなＣＭをユーザー１５に提供することができる。さらに、ディスクプレーヤー１１は、フラグの検出に伴ってＣＭコンテンツを取得する構成であるため、ＣＭコンテンツの挿入位置を予め規定しておくことができる。つまり、フラグの設定位置により、本編コンテンツの前など、広告提供者の所望するタイミングで、ＣＭコンテンツを本編コンテンツに挿入することができる。【００５５】
なお、上記の実施形態では、本編コンテンツ上に記録されたフラグにより、ＣＭコンテンツの挿入位置を規定しているが、図６に示すように、ＣＭコンテンツの挿入位置をテーブル形式で示すようにしても良い。すなわち、ＣＭ挿入情報を、挿入位置とＣＭコンテンツを特定するためのＩＤとをレコード毎に関連付けたテーブルで構成しても良い。図示の例では、挿入位置を、再生時間に基づく相対時間で示している。この場合、本編コンテンツの再生時において、同図に示すテーブルを参照し、ＣＭコンテンツを取得する。取得のタイミングは、挿入位置に基づくタイミング（挿入位置に基づく再生時間に）でも、テーブル参照後でかつ任意の挿入タイミングより早い時刻でも良い。挿入タイミングより早い時刻にあらかじめ取得しておくことで、ＣＭ再生に先立ってフェードイン、フェードアウトなどの処理を済ませ、挿入に備えることが出来る。また、当該テーブルは、ＣＭコンテンツを特定するためのＩＤが関連付けられているため、上記の実施形態と同様に、コンテンツプロバイダー２１にＩＤを送信することにより、挿入位置毎に異なるＣＭコンテンツを取得することができる。このように、ＣＭコンテンツの挿入位置をテーブル形式で示すことで、１つの本編コンテンツに多数の挿入位置が存在する場合など、ＣＭ挿入情報の生成・組み込みが容易となる。【００５６】
また、上記の実施形態では、本編コンテンツ上に記録されたフラグに、それぞれフラグＩＤを関連付けた構成としたが（図３参照）、図７に示すように、各フラグに、ＣＭコンテンツの取得先を示すアドレス情報を関連付けた構成としても良い。この場合、本編コンテンツの再生中にフラグを検出すると、関連付けられたアドレス情報のアドレスにアクセスしてＣＭコンテンツを取得する。この構成によれば、フラグ毎に異なるアドレス情報を関連付けておくことで、多様なＣＭを再生することができる。なお、このようにフラグ毎にアドレス情報を関連付ける場合、ダウンロード情報にアドレス情報を含まない構成とすることが好ましい。但し、ダウンロード情報にアドレス情報が含まれる場合は、ダウンロード情報に含まれるアドレス情報とフラグ毎に関連付けられたアドレス情報とのどちらを優先するかを決定しておく必要がある。【００５７】
また、上記の実施形態では、フラグ毎に（挿入位置毎に）異なるＩＤ（フラグＩＤ）を関連付けておくものとしたが、光ディスクＤに異なるＩＤを関連付けておくようにしてもよい。この構成によれば、その光ディスクＤを入手しない限り特定のＣＭコンテンツを視聴することができないため、ＣＭコンテンツの価値を高めることができる。【００５８】
また、ダウンロード情報は、光ディスクＤ内に記録されているものとしたが、光ディスクＤ以外の情報源（コンテンツプロバイダー２１や、ディスクプレーヤー１１が読み取り可能な記録媒体など）から取得するようにしても良い。この構成によれば、光ディスクＤが書き換え不能なタイプのものであっても、情報源の情報を書き換えることで、ダウンロード情報を更新することができる。したがって、挿入可否情報を「否」から「可」に書き換えることもできる。これにより、例えば上記の実施形態の場合、ＣＭ挿入情報として「タイトル２」および「タイトル３」にフラグが記録されているものの、挿入可否情報が「否」であるため、ＣＭコンテンツが挿入されないが、フラグを記録しておくことで、後に挿入可否情報が「可」に書き換えられた場合に利用できる。【００５９】
但し、このように光ディスクＤ以外の情報源からダウンロード情報を取得する構成の場合、本編コンテンツのみが再生されることを禁止するため、情報源には、本編コンテンツの再生に必要な再生制御情報（ファイル構造を解析するためのデータなど）が記録されていることが好ましい。つまり、情報源にアクセスしなければ本編コンテンツの再生が禁止されるように構成することが好ましい。また、この場合、挿入可否情報およびアドレス情報の両方ではなく、いずれか一方を光ディスクＤから、また他方を光ディスクＤ以外の情報源から取得するようにしても良い。【００６０】
続いて、図８および図９を参照し、本発明の第２実施形態について説明する。上記の第１実施形態では、コンテンツプロバイダー２１がディスクプレーヤー１１から送信されたＩＤに基づいてＣＭコンテンツを特定するものとしたが、本実施形態では、ディスクプレーヤー１１が本編コンテンツのタイトル名や挿入位置に関する情報をコンテンツプロバイダー２１に送信し、コンテンツプロバイダー２１がこれらの情報に基づいてＣＭコンテンツを特定（選択）する点で異なる。そこで、第１実施形態と異なる点を中心に、以下説明する。なお、第１実施形態と同一の構成要素については、同一の参照番号を付して説明する。【００６１】
図８に示すように、第２実施形態では、ＣＭ挿入情報として、レコード毎に、挿入位置と、本編コンテンツのタイトル名とを関連付けたテーブルが光ディスクＤ内に記録されている。同図の例は、挿入位置「３分２０秒００」が、「タイトル１」の本編コンテンツ内に含まれ、そのタイトル名が「ＸＸＸ」であることを示している。また、挿入位置「１０分３０秒１０」および「１２分４０秒２０」が、いずれも「タイトル２」の本編コンテンツ内に含まれ、そのタイトル名が「ＹＹＹ」であることを示している。したがって、ディスクプレーヤー１１は、再生時間「３分２０秒００」のタイミングで、タイトル名「ＸＸＸ」と、挿入位置「３分２０秒００」を示す情報をコンテンツプロバイダー２１に送信する。また、再生時間「１０分３０秒１０」のタイミングで、タイトル名「ＹＹＹ」と、挿入位置「１０分３０秒１０」を示す情報を、再生時間「１２分４０秒２０」のタイミングで、タイトル名「ＹＹＹ」と、挿入位置「１２分４０秒２０」を示す情報を、それぞれコンテンツプロバイダー２１に送信する。【００６２】
つまり、コンテンツプロバイダー２１は、これら取得した情報に基づいて、本編コンテンツの内容や再生時間に応じたＣＭコンテンツをディスクプレーヤー１１に送信することができるようになっている。したがって、コンテンツプロバイダー２１内には、タイトル名とそれに対応するＣＭコンテンツを示す情報、さらにタイトルによっては、所定時間毎に異なるＣＭコンテンツが対応付けられた対応表（例えば、再生開始から再生時間○○分○○秒○○までは「ＣＭコンテンツ１」、再生時間○○分○○秒○○〜再生時間○○分○○秒○○までは「ＣＭコンテンツ２」など）を記憶したデータベース（図示省略）を備えている。【００６３】
なお、本実施形態においても、挿入位置を本編コンテンツ上にフラグとして記録し、当該フラグに、タイトル名と挿入位置を示す情報とを関連付けておくようにしても良い。また、ダウンロード情報についても特に言及しないが、第１実施形態と同様に、ダウンロード情報に含まれる挿入可否情報やアドレス情報に基づいて、ＣＭコンテンツを取得する構成としても良い。【００６４】
次に、図９のフローチャートを参照し、第２実施形態に係るＣＭコンテンツの挿入・再生処理について説明する。ディスクプレーヤー１１に、光ディスクＤが挿入（セット）され（Ｓ１１）、操作部５４によりタイトルＸの再生が指示されると（Ｓ１２）、制御部５５は、ＣＭ挿入情報（図８に示したテーブル）を参照し（Ｓ１３）、再生処理部５６は、タイトルＸを再生する（Ｓ１４）。【００６５】
ここで、制御部５５は、再生時間がＣＭ挿入位置に達したか否かを判別し（Ｓ１５）、達した場合は（Ｓ１５：Ｙｅｓ）、タイトル名と挿入位置を示す情報をコンテンツプロバイダー２１に送信する（Ｓ１６）。【００６６】
コンテンツプロバイダー２１は、これらの情報を取得し（情報取得手段）、上記のデータベースを参照して挿入対象となるＣＭコンテンツを特定する（ＣＭコンテンツ特定手段）。例えば、コンテンツ名から本編コンテンツが男性向けのコンテンツであると判別した場合、男性を広告対象にしたＣＭコンテンツを特定する。また、挿入位置を示す情報に基づいて、その本編コンテンツの内容とリンクしたＣＭコンテンツを特定する。また、特定したＣＭコンテンツをディスクプレーヤー１１に送信する（ＣＭコンテンツ送信手段）。【００６７】
ディスクプレーヤー１１は、コンテンツプロバイダー２１から、ＣＭコンテンツを取得すると、タイトルＸの本編コンテンツに当該ＣＭコンテンツを挿入し再生する（Ｓ１７）。また、同図のフローチャートには特に図示していないが、タイトルＸの再生終了に伴い、本フローチャートのリターンを終了する。【００６８】
このように、本実施形態によれば、タイトル名や挿入位置を示す情報をコンテンツプロバイダー２１に送信してＣＭコンテンツの特定を促すことにより、ユーザー１５に対してより効果的なＣＭを提供することができる。【００６９】
なお、上記の実施形態では、タイトル名を送信したが、本編コンテンツを識別するための識別コードなど、タイトル名以外の本編コンテンツを特定するための情報を送信するようにしても良い。また、挿入位置を示す情報も、挿入位置（再生時間）そのものではなく、本編コンテンツ前半または後半を示すコード等に代えて送信しても良い。さらに、タイトル名と挿入位置を示す情報との両方ではなく、タイトル名のみ、または挿入位置を示す情報のみを送信するようにしても良い。【００７０】
また、上記の２つの実施形態では、光ディスク内に、ＣＭ挿入情報とダウンロード情報を含むものとしたが、ダウンロード情報を含まない構成としても良いし、ダウンロード情報に挿入可否情報を含まない構成としても良い。さらに、コンテンツプロバイダー２１にＣＭコンテンツを特定するためのＩＤやタイトル名等を送信しない構成とすれば（ＣＭ挿入情報を、挿入位置を示す情報のみとすれば）、少なくとも１つの本編コンテンツ内では同一のＣＭコンテンツを取得させることができ、視聴者に対しＣＭの内容を強く印象付けることができる。【００７１】
また、上記の２つの実施形態では、本編コンテンツの再生中に、ＣＭコンテンツを取得するものとしたが、本編コンテンツの再生前に、予めＣＭコンテンツを取得しておく構成としても良い。この場合、ディスクプレーヤー１１は、光ディスクＤの挿入直後またはユーザー１５によるＣＭコンテンツの取得指示時にＣＭ挿入情報およびダウンロード情報を読み取り、これらにしたがってコンテンツプロバイダー２１からＣＭコンテンツを取得する。そして、取得したＣＭコンテンツをバッファリングしておき、ＣＭ挿入情報に含まれる挿入位置に、該当するＣＭコンテンツを読み出して挿入・再生する。また、この場合、予め本編コンテンツにＣＭコンテンツを組み込み、再生するための全コンテンツを生成して所定の記憶領域に記憶させておく構成でも良い。さらに、光ディスクＤが書き換え可能である場合、取得したＣＭコンテンツを光ディスクＤに書き込むようにしても良い。【００７２】
また、本編コンテンツを記録した媒体として、光ディスクＤを例示したが、半導体メモリなど他の記録媒体を用いても良い。但し、持ち運びが容易なように、リムーバブルタイプのものを用いることが好ましい。【００７３】
また、上記の実施形態に示した、コンテンツ処理システムＳＹやディスクプレーヤー１１の各構成要素（各機能）をプログラムとして提供することも可能である。また、そのプログラムを各種記録媒体（ＣＤ−ＲＯＭ、フラッシュメモリ等）に格納して提供することも可能である。すなわち、コンテンツ処理システムＳＹやディスクプレーヤー１１の各構成要素（各機能）をプログラム化したもの、およびそれを記録した記録媒体も、本発明の権利範囲に含まれる。【００７４】
また、上記の実施形態によらず、ディスクプレーヤー１１の装置構成や処理工程など、本発明を逸脱しない範囲で適宜変更が可能である。
【図１】
2008056407.tif 000003
【図２】
2008056407.tif 000004
【図３】
2008056407.tif 000005
【図４】
2008056407.tif 000006
【図５】
2008056407.tif 000007
【図６】
2008056407.tif 000008
【図７】
2008056407.tif 000009
【図８】
2008056407.tif 000010
【図９】
2008056407.tif 000011
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
本編コンテンツと、当該本編コンテンツへのＣＭコンテンツの挿入位置をフラグで示したＣＭ挿入情報と、が記録された記録媒体を読み取る読み取り手段と、
前記ＣＭ挿入情報に基づいて、外部装置から前記ＣＭコンテンツを取得するＣＭコンテンツ取得手段と、
取得した前記ＣＭコンテンツを前記本編コンテンツに挿入するＣＭコンテンツ挿入手段と、を備え、
前記ＣＭコンテンツ取得手段は、前記本編コンテンツの再生時における前記フラグの検出に伴って、前記ＣＭコンテンツを取得することを特徴とするコンテンツ処理装置。
【請求項２】
（削除）
【請求項３】
本編コンテンツと、当該本編コンテンツへのＣＭコンテンツの挿入位置をフラグで示したＣＭ挿入情報と、が記録された記録媒体を読み取る読み取り手段と、
前記ＣＭ挿入情報に基づいて、外部装置から前記ＣＭコンテンツを取得するＣＭコンテンツ取得手段と、
取得した前記ＣＭコンテンツを前記本編コンテンツに挿入するＣＭコンテンツ挿入手段と、
前記ＣＭコンテンツが挿入された前記本編コンテンツを再生する再生手段と、を備え、
前記ＣＭコンテンツ取得手段は、前記本編コンテンツの再生時における前記フラグの検出に伴って、前記ＣＭコンテンツを取得することを特徴とする再生装置。
【請求項４】
本編コンテンツと、当該本編コンテンツへのＣＭコンテンツの挿入位置をテーブル形式で示したＣＭ挿入情報と、が記録された記録媒体を読み取る読み取り手段と、
前記ＣＭ挿入情報に基づいて、外部装置から前記ＣＭコンテンツを取得するＣＭコンテンツ取得手段と、
取得した前記ＣＭコンテンツを前記本編コンテンツに挿入するＣＭコンテンツ挿入手段と、
前記ＣＭコンテンツが挿入された前記本編コンテンツを再生する再生手段と、を備え、
前記ＣＭコンテンツ取得手段は、前記本編コンテンツの再生時において、前記ＣＭ挿入情報を参照して前記ＣＭコンテンツを取得し、
前記再生手段は、前記ＣＭコンテンツの挿入位置に基づくタイミングで前記ＣＭコンテンツを再生することを特徴とする再生装置。
【請求項５】
前記ＣＭ挿入情報は、前記ＣＭコンテンツを特定するためのＩＤを含み、
前記ＣＭコンテンツ取得手段は、前記ＩＤを前記外部装置に送信することにより、当該外部装置が特定した前記ＣＭコンテンツを取得することを特徴とする請求項３または４に記載の再生装置。
【請求項６】
前記再生手段は、前記ＣＭコンテンツの挿入位置の前後で、前記本編コンテンツのフェードイン・フェードアウト処理を行うことを特徴とする請求項３または４に記載の再生装置。
【請求項７】
前記記録媒体には、１以上の前記本編コンテンツが記録されていると共に、当該各本編コンテンツには、前記ＣＭコンテンツを挿入するか否かに関する挿入可否情報が関連付けられており、
前記ＣＭコンテンツ取得手段は、前記挿入可否情報「可」が関連付けられた前記本編コンテンツの再生時に、前記ＣＭコンテンツを取得することを特徴とする請求項３または４に記載の再生装置。
【請求項８】
前記本編コンテンツへの前記ＣＭコンテンツの挿入を禁止するためのコンテンツキーを取得するコンテンツキー取得手段と、
前記コンテンツキーの取得に伴って、該当する前記本編コンテンツの挿入可否情報を「可」から「否」に書き換える挿入可否情報書き換え手段と、をさらに備えていることを特徴とする請求項７に記載の再生装置。
【請求項９】
前記各本編コンテンツには、前記ＣＭコンテンツの取得先を示すアドレス情報が関連付けられており、
前記ＣＭコンテンツ取得手段は、前記各本編コンテンツに関連付けられている前記アドレス情報に基づいてアクセスすることにより、前記ＣＭコンテンツを取得することを特徴とする請求項７に記載の再生装置。
【請求項１０】
請求項１に記載のコンテンツ処理装置と、
前記記録媒体と、
前記外部装置と、から成ることを特徴とするコンテンツ処理システム。
【請求項１１】
前記ＣＭ挿入情報は、前記本編コンテンツを特定するための情報と、前記ＣＭコンテンツの挿入位置を示す情報と、を含み、
前記ＣＭコンテンツ取得手段は、前記本編コンテンツを特定するための情報および前記ＣＭコンテンツの挿入位置を示す情報の少なくとも一方を前記外部装置に送信することにより、当該外部装置が特定した前記ＣＭコンテンツを取得し、
前記外部装置は、
前記ＣＭコンテンツを複数記憶するＣＭコンテンツ記憶手段と、
前記コンテンツ処理装置から前記本編コンテンツを特定するための情報および前記ＣＭコンテンツの挿入位置を示す情報の少なくとも一方を取得する情報取得手段と、
前記情報取得手段により取得した情報に基づいて、前記ＣＭコンテンツ記憶手段から、挿入対象となる前記ＣＭコンテンツを特定するＣＭコンテンツ特定手段と、
特定した前記ＣＭコンテンツを、前記コンテンツ処理装置に送信するＣＭコンテンツ送信手段と、を備えていることを特徴とする請求項１０に記載のコンテンツ処理システム。
【請求項１２】
コンテンツを記録するための記録媒体であって、
予め前記記録媒体に記録されている、独立して視聴可能な複数の本編コンテンツと、
前記本編コンテンツに、前記記録媒体の再生装置以外の外部装置から取得したＣＭコンテンツを挿入するための情報であって当該ＣＭコンテンツの挿入位置をフラグで示したＣＭ挿入情報と、が記録されており、前記本編コンテンツの再生時における前記フラグの検出に伴って、前記再生装置により前記ＣＭコンテンツが取得されることを特徴とする記録媒体。
【手続補正２】
【補正対象書類名】明細書
【補正対象項目名】０００２
【補正方法】変更
【補正の内容】
【０００２】
から、任意に視聴したいコンテンツだけを視聴したい時に選択する視聴スタイルが考えられる。このような場合において、ユーザーの選択したコンテンツや時期に応じて効果的なＣＭコンテンツを再生可能なシステムが望まれる。
［０００５］
本発明は、記録媒体を広告媒体および広告収入源として効果的に利用するためのコンテンツ処理装置、再生装置、コンテンツ処理システムおよび記録媒体を提供することを課題としている。
課題を解決するための手段
［０００６］
本発明のコンテンツ処理装置は、本編コンテンツと、当該本編コンテンツへのＣＭコンテンツの挿入位置をフラグで示したＣＭ挿入情報と、が記録された記録媒体を読み取る読み取り手段と、ＣＭ挿入情報に基づいて、外部装置からＣＭコンテンツを取得するＣＭコンテンツ取得手段と、取得したＣＭコンテンツを本編コンテンツに挿入するＣＭコンテンツ挿入手段と、を備え、ＣＭコンテンツ取得手段は、本編コンテンツの再生時におけるフラグの検出に伴って、ＣＭコンテンツを取得することを特徴とする。
［０００７］
この構成によれば、外部装置からＣＭコンテンツを取得し、当該ＣＭコンテンツを本編コンテンツに挿入するため、ＣＭ内容が陳腐化することがない。すなわち、外部装置から常に新鮮な広告情報を視聴者（ユーザー）に提供することができ、広告媒体としての価値を維持することができる。また、その価値は恒久的であるため、効果的な広告収入源として記録媒体を利用することができる。また、本編コンテンツの再生時にＣＭコンテンツを取得するため、予めＣＭコンテンツを取得して本編コンテンツに挿入しておく必要がない。すなわち、ユーザーが実際に視聴する際にＣＭコンテンツを取得するため、その日時や情勢に合ったＣＭコンテンツを取得することができる。また、広告提供者（ＣＭスポンサー）側としても外部装置を介してタイムリーなＣＭを提供することができるため、記録媒体の広告媒体としての価値をより高めることができる。また、フラグの検出に伴ってＣＭコンテンツを取得するため、ＣＭコンテンツの挿入位置を予め規定しておくことができる。つまり、フラグの設定位置により、本編コンテンツの前など、広告提供者の所望する再生位置にＣＭコンテンツを挿入することができる。
なお、ＣＭコンテンツを取得するタイミングは、記録媒体の読み取り時、ユーザーによるＣＭコンテンツの取得指示時など、任意のタイミングで良い。
［０００８］
［０００９］
【手続補正３】
【補正対象書類名】明細書
【補正対象項目名】０００３
【補正方法】変更
【補正の内容】
【０００３】
［００１０］
本発明の再生装置は、本編コンテンツと、当該本編コンテンツへのＣＭコンテンツの挿入位置をフラグで示したＣＭ挿入情報と、が記録された記録媒体を読み取る読み取り手段と、ＣＭ挿入情報に基づいて、外部装置からＣＭコンテンツを取得するＣＭコンテンツ取得手段と、取得したＣＭコンテンツを本編コンテンツに挿入するＣＭコンテンツ挿入手段と、ＣＭコンテンツが挿入された本編コンテンツを再生する再生手段と、を備え、ＣＭコンテンツ取得手段は、本編コンテンツの再生時におけるフラグの検出に伴って、ＣＭコンテンツを取得することを特徴とする。
［００１１］
この構成によれば、本編コンテンツの再生時にＣＭコンテンツを取得するため、予めＣＭコンテンツを取得して本編コンテンツに挿入しておく必要がない。すなわち、ユーザーが実際に視聴する際にＣＭコンテンツを取得するため、その日時や情勢に合ったＣＭコンテンツを取得することができる。また、広告提供者（ＣＭスポンサー）側としても外部装置を介してタイムリーなＣＭを提供することができるため、記録媒体の広告媒体としての価値をより高めることができる。また、フラグの検出に伴ってＣＭコンテンツを取得するため、ＣＭコンテンツの挿入位置を予め規定しておくことができる。つまり、フラグの設定位置により、本編コンテンツの前など、広告提供者の所望する再生位置にＣＭコンテンツを挿入することができる。
［００１２］
本発明の他の再生装置は、本編コンテンツと、当該本編コンテンツへのＣＭコンテンツの挿入位置をテーブル形式で示したＣＭ挿入情報と、が記録された記録媒体を読み取る読み取り手段と、ＣＭ挿入情報に基づいて、外部装置からＣＭコンテンツを取得するＣＭコンテンツ取得手段と、取得したＣＭコンテンツを本編コンテンツに挿入するＣＭコンテンツ挿入手段と、ＣＭコンテンツが挿入された本編コンテンツを再生する再生手段と、を備え、ＣＭコンテンツ取得手段は、本編コンテンツの再生時において、ＣＭ挿入情報を参照してＣＭコンテンツを取得し、再生手段は、ＣＭコンテンツの挿入位置に基づくタイミングでＣＭコンテンツを再生することを特徴とする。
［００１３］
この構成によれば、テーブル（ＣＭ挿入情報）の参照結果に基づくタイミングでＣＭコンテンツを再生するため、ＣＭコンテンツの挿入位置を予め規定しておくことができる。つまり、テーブルの設定により、本編コンテンツの前など、広告提供者の所望する再生位置にＣＭコンテンツを挿入することができる。
なお、ＣＭコンテンツを取得するタイミングは、挿入位置に基づくタイミング（挿入位置に基づく再生時間）でも、テーブル参照後でかつ任意の挿入タイミングより早い時刻でも良い。
［００１４］
上記に記載の再生装置において、ＣＭ挿入情報は、ＣＭコンテンツを特定するためのＩＤを含み、ＣＭコンテンツ取得手段は、ＩＤを外部装置に送信することにより、当該外部装置が特定したＣＭコンテンツを取得することが好ましい。
［００１５］
この構成によれば、例えば挿入位置毎に異なるＩＤを関連付けておくことで、多様なＣＭコンテンツを再生することができる。これにより、複数の広告提供者から広告収入が得られると共に、同じＣＭの繰り返しで視聴者を飽きさせることがない。また、記録媒体毎に異なるＩＤを関連付けるようにすれば、その記録媒体を入手しない限り特定のＣＭコンテンツを視聴することができないため、ＣＭコンテンツの価値を高めること
【手続補正４】
【補正対象書類名】明細書
【補正対象項目名】０００６
【補正方法】変更
【補正の内容】
【０００６】
［００２８］
本発明の記録媒体は、コンテンツを記録するための記録媒体であって、予め記録媒体に記録されている、独立して視聴可能な複数の本編コンテンツと、本編コンテンツに、記録媒体の再生装置以外の外部装置から取得したＣＭコンテンツを挿入するための情報であって当該ＣＭコンテンツの挿入位置をフラグで示したＣＭ挿入情報と、が記録されており、本編コンテンツの再生時におけるフラグの検出に伴って、再生装置によりＣＭコンテンツが取得されることを特徴とする。
［００２９］
この構成によれば、広告媒体および広告収入源として効果的に利用可能な記録媒体を提供することができる。また、今後、多数の本編コンテンツを格納した記録媒体が台頭し、記録媒体の販売価格抑制のための広告収入の必要性が増してくると考えられるが、この構成によれば、そのような状況において特に有効である。
［００３０］
［００３１］
図面の簡単な説明
［００３２］
［図１］本発明の第１実施形態に係るコンテンツ処理システムのシステム構成図である。
［図２］ディスクプレーヤーの制御ブロック図である。
［図３］ＣＭ挿入情報を説明するための図である。
［図４］ダウンロード情報を説明するための図である。
［図５］ディスクプレーヤーのＣＭ挿入・再生処理を示すフローチャートである。
［図６］ＣＭ挿入情報の他の一例を説明するための図である。
［図７］ＣＭ挿入情報の他の一例を説明するための図である。
［図８］第２実施形態に係るＣＭ挿入情報を説明するための図である。
［図９］第２実施形態に係るディスクプレーヤーのＣＭ挿入・再生処理を示すフローチャートである。
符号の説明
［００３３］
１１…ディスクプレーヤー  ２１…コンテンツプロバイダー  ３１…ネットワーク  ５１…読み取り部  ５２…書き込み部  ５３…ネットワーク接続部  ５４…操作部  ５５…制御部  ５６…再生処理部  ５７…音声出力部  ５８…映像出力部  Ｄ…光ディスク  ＳＹ…コンテンツ処理システム
発明を実施するための最良の形態
【国際調査報告】
2008056407.tif 000012
2008056407.tif 000013
2008056407.tif 000014
2008056407.tif 000015